(57)【特許請求の範囲】
【請求項１】
列状に立設された複数の筒状照明器と、前記照明器にそれぞれ設けられた調光器と、前記調光器に接続された制御器とを備え、
前記制御器から送出する信号により、前記調光器を介して、前記筒状照明器への供給電圧ないしは供給電流を変えることで発光部分の長さを変更して、発光状態を一方から他方に順次移行させる展示場用照明装置であって、
前記筒状照明器は、筒状の発光部と、この発光部の一端側に配置された光源と、前記発光部の他端側に配置された白色反射部とを備え、
前記発光部を内面側に凹凸乱反射面が設けられた半透明シートで構成して、前記光源と前記白色反射部の近傍を部分的に発光させることを特徴とする展示場用照明装置。
【請求項２】
前記筒状照明器の前記発光状態の移行を予めプログラムして、前記制御器に記憶させておくことを特徴とする請求項１記載の展示場用照明装置。
【請求項３】
列状に立設された複数の筒状照明器と、前記照明器にそれぞれ設けられた調光器と、前記筒状照明器の列に沿ってその背面側に設置された複数の音響発生部を有する音響器と、前記調光器及び音響器に接続された制御器とを備え、
前記制御器は、前記音響器の出力信号を受けて、その出力状態に対応した信号を前記調光器に送出し、前記筒状照明器の発光状態を前記音響発生部の出力状態と同期させるようにした展示場用照明装置であって、
前記筒状照明器は、筒状の発光部と、この発光部の一端側に配置された光源と、前記発光部の他端側に配置された白色反射部とを備え、前記発光部を内面側に凹凸乱反射面が設けられた半透明シートで構成して、前記光源と前記白色反射部の近傍を部分的に発光させるものであり、
前記筒状照明器の同期形態は、前記筒状照明器の複数の発光部分で、先端が波形になった部分を創出させて、これらを相互に近接離間させるようにすること、または、先端が鋸歯状になった部分を創出して、点滅させること、および、先端が波形になった部分を創出させて、ゆっくり上下移動させることの、いずれか１つを選択することを特徴とする展示場用照明装置。
【請求項４】
列状に立設された複数の筒状照明器と、前記照明器にそれぞれ設けられた調光器と、前記筒状照明器の列に沿ってその背面側に設置された複数の音響発生部を有する音響器と、前記筒状照明器の列の適宜個所に配置された映写器と、前記調光器及び音響器，映写器に接続された制御器とを備え、
前記制御器は、前記音響器の出力信号を受けて、その出力状態に対応した信号を前記調光器に送出し、前記筒状照明器の発光状態と前記映写器の映写状態とを前記音響発生部の出力状態と同期させる展示場用照明装置であって、
前記筒状照明器は、筒状の発光部と、この発光部の一端側に配置された光源と、前記発光部の他端側に配置された白色反射部とを備え、前記発光部を内面側に凹凸乱反射面が設けられた半透明シートで構成して、前記光源と前記白色反射部の近傍を部分的に発光させるものであり、
前記筒状照明器の同期形態は、前記筒状照明器の複数の発光部分で、先端が波形になった部分を創出させて、これらを相互に近接離間させるようにすること、または、先端が鋸歯状になった部分を創出して、点滅させること、および、先端が波形になった部分を創出させて、ゆっくり上下移動させることの、いずれか１つを選択することを特徴とする展示場用照明装置。
【請求項５】
列状に立設された複数の筒状照明器と、前記照明器にそれぞれ設けられた調光器と、前記筒状照明器の列に沿ってその背面側に設置された複数の音響発生部を有する音響器と、前記筒状照明器の列の適宜個所に配置された映写器と、前記調光器及び音響器，映写器に接続された制御器とを備え、
前記制御器は、予めプログラムされた手順に従って、前記筒状照明器の発光状態と前記映写器の映写状態および前記音響器の出力状態とを同期させる展示場用照明装置であって、
前記筒状照明器は、筒状の発光部と、この発光部の一端側に配置された光源と、前記発光部の他端側に配置された白色反射部とを備え、前記発光部を内面側に凹凸乱反射面が設けられた半透明シートで構成して、前記光源と前記白色反射部の近傍を部分的に発光させるものであり、
前記筒状照明器の同期形態は、前記筒状照明器の複数の発光部分で、先端が波形になった部分を創出させて、これらを相互に近接離間させるようにすること、または、先端が鋸歯状になった部分を創出して、点滅させること、および、先端が波形になった部分を創出させて、ゆっくり上下移動させることの、いずれか１つを選択することを特徴とする展示場用照明装置。
【発明の詳細な説明】
【０００１】
【発明の属する技術分野】
本発明は、照明装置に関し、特に、展示場に用いられる照明装置に関するものである。
【０００２】
【従来の技術】
展示場の照明装置には、入場者を展示場に呼び込むために、展示物に対応して各種の工夫が凝らされており、例えば、展示物に特殊なレーザ光を照射したり、あるいは、光と音響と照明と組合せるといった手法が採用されている。
【０００３】
しかしながら、現在採用されている展示場用照明装置には、以下の点で改良の余地があった。
【０００４】
【発明が解決しようとする課題】
すなわち、展示物にレーザ光線を照射する照明装置では、入場者を展示物に注目させることができても、内部に入るように誘引する効果が十分得られない。
【０００５】
また、最近の映像技術では、例えば、バーチャルリアルティーといった３次元空間を立体的に擬似体験させる手法が各種の用途で開発されており、このような手法の照明を展示場に応用すれば、展示場での集客効果の向上を図ることができるが、従来の展示場用の照明装置では、このような要求に応えることができなかった。
【０００６】
本発明は、このような問題点に鑑みてなされたものであって、その目的とするところは、集客効果の向上が図れる展示場用照明装置を提供することにある。
【０００７】
また、別の目的として、光，音，映像を同期させることにより、空間を立体的に演出することができる展示場用照明装置を提供することにある。
【０００８】
【課題を解決するための手段】
上記目的を達成するため、本発明は、列状に立設された複数の筒状照明器と、前記照明器にそれぞれ設けられた調光器と、前記調光器に接続された制御器とを備え、前記制御器から送出する信号により、前記調光器を介して、前記筒状照明器への供給電圧ないしは供給電流を変えることで発光部分の長さを変更して、発光状態を一方から他方に順次移行させる展示場用照明装置であって、前記筒状照明器は、筒状の発光部と、この発光部の一端側に配置された光源と、前記発光部の他端側に配置された白色反射部とを備え、前記発光部を内面側に凹凸乱反射面が設けられた半透明のシートで構成して、前記光源と前記白色反射部の近傍を部分的に発光させるようにした。
この構成によれば、筒状照明器の発光状態を、例えば、展示物の側に順次移行するようにすれば、発光状態に惹かれた入場者を展示物の側に誘引することができる。
前記筒状照明器の前記発光状態の移行を予めプログラムして、前記制御器に記憶させておくことができる。
この構成によれば、例えば、波の波動状態や、風の揺らぎ，緩やかな呼吸などのイメージを発光状態で演出することができる。
また、本発明は、列状に立設された複数の筒状照明器と、前記照明器にそれぞれ設けられた調光器と、前記筒状照明器の列に沿ってその背面側に設置された複数の音響発生部を有する音響器と、前記調光器及び音響器に接続された制御器とを備え、前記制御器は、前記音響器の出力信号を受けて、その出力状態に対応した信号を前記調光器に送出し、前記筒状照明器の発光状態を前記音響発生部の出力状態と同期させるようにした展示場用照明装置であって、前記筒状照明器は、筒状の発光部と、この発光部の一端側に配置された光源と、前記発光部の他端側に配置された白色反射部とを備え、前記発光部を内面側に凹凸乱反射面が設けられた半透明のシートで構成して、前記光源と前記白色反射部の近傍を部分的に発光させるものであり、前記筒状照明器の同期形態は、前記筒状照明器の複数の発光部分で、先端が波形になった部分を創出させて、これらを相互に近接離間させるようにすること、または、先端が鋸歯状になった部分を創出して、点滅させること、および、先端が波形になった部分を創出させて、ゆっくり上下移動させることの、いずれか１つを選択する。
この構成によれば、音響器の出力状態に合わせて、照明器の発光状態を同期発光させるので、音と光の一体的な融合化が図れる。
さらに、本発明は、列状に立設された複数の筒状照明器と、前記照明器にそれぞれ設けられた調光器と、前記筒状照明器の列に沿ってその背面側に設置された複数の音響発生部を有する音響器と、前記筒状照明器の列の適宜個所に配置された映写器と、前記調光器及び音響器，映写器に接続された制御器とを備え、前記制御器は、前記音響器の出力信号を受けて、その出力状態に対応した信号を前記調光器に送出し、前記筒状照明器の発光状態と前記映写器の映写状態とを前記音響発生部の出力状態と同期させるようにした展示場用照明装置であって、前記筒状照明器は、筒状の発光部と、この発光部の一端側に配置された光源と、前記発光部の他端側に配置された白色反射部とを備え、前記発光部を内面側に凹凸乱反射面が設けられた半透明のシートで構成して、前記光源と前記白色反射部の近傍を部分的に発光させるものであり、前記筒状照明器の同期形態は、前記筒状照明器の複数の発光部分で、先端が波形になった部分を創出させて、これらを相互に近接離間させるようにすること、または、先端が鋸歯状になった部分を創出して、点滅させること、および、先端が波形になった部分を創出させて、ゆっくり上下移動させることの、いずれか１つを選択する。
この構成によれば、音響器の出力状態に合わせて、照明器の発光状態と映写器の映写状態とを同期させるので、音と光および映像の一体的な融合化が図れる。  また、本発明は、列状に立設された複数の筒状照明器と、前記照明器にそれぞれ設けられた調光器と、前記筒状照明器の列に沿ってその背面側に設置された複数の音響器と、前記筒状照明器の列の適宜個所に配置された映写器と、前記調光器及び音響器，映写器に接続された制御器とを備え、前記制御器は、予めプログラムされた手順に従って、前記筒状照明器の発光状態と前記映写器の映写状態および前記音響器の出力状態とを同期させる展示場用照明装置であって、前記筒状照明器は、筒状の発光部と、この発光部の一端側に配置された光源と、前記発光部の他端側に配置された白色反射部とを備え、前記発光部を内面側に凹凸乱反射面が設けられた半透明のシートで構成して、前記光源と前記白色反射部の近傍を部分的に発光させるものであり、前記筒状照明器の同期形態は、前記筒状照明器の複数の発光部分で、先端が波形になった部分を創出させて、これらを相互に近接離間させるようにすること、または、先端が鋸歯状になった部分を創出して、点滅させること、および、先端が波形になった部分を創出させて、ゆっくり上下移動させることの、いずれか１つを選択する。
この構成によれば、予めプログラムされた手順に従って、音響器の出力状態，照明器の発光状態および映写器の映写状態を同期させるので、音と光および映像の一体的な融合化のバリエーションが増加する。
【０００９】
【発明の実施の形態】
以下、本発明の好ましい実施の形態について添付図面を参照して詳細に説明する。図１から図６は、本発明にかかる展示場用照明装置の一実施例を示している。
【００１０】
同図に示した照明装置は、図１にその全体の平面配置を示すように、３４個の筒状照明器Ｌ１，Ｌ２，……Ｌ３４と、音響器Ｓと、２個の映写器Ｐと、各照明器Ｌ１，Ｌ２，……Ｌ３４に設けられた調光器１０と、制御器１２を備えている。
【００１１】
３４個の筒状照明器Ｌ１，Ｌ２，……Ｌ３４は、Ｌ１〜Ｌ１７までとＬ１８〜Ｌ３４までの同数から構成された二群に分けられていて、各群の照明器Ｌ１，Ｌ２，……Ｌ３４は、平面状において、互いに一部ずつが交差する円弧に沿って、相互に隣接した状態で列設されている。
【００１２】
筒状照明器Ｌ１，Ｌ２，……Ｌ３４が配置された円弧は、同じ曲率を備え、上方に位置する照明器Ｌ１と照明器Ｌ１８との間が、展示状の入口１４となっているとともに、下方に位置する照明器Ｌ１７と照明器Ｌ３４との間が、展示状の出口１６になっている。
【００１３】
入場者は、入口１４から展示場に入り、円弧状に列設された照明器Ｌ１，Ｌ２，……Ｌ３４の間を歩行して、出口１６から退出する。
本実施例の筒状照明器Ｌ１，Ｌ２，……Ｌ３４は、それぞれ同一構成のものであって、その代表例の照明器Ｌ１の詳細を図３に示している。同図に示した照明器Ｌ１は、筒状の発光部Ａと、この発光部Ａの上端側に設けられた光源Ｂと、発光部Ａの下端側に設けられた白色反射部Ｃとから構成されている。
【００１４】
発光部Ａは、この実施例では、床面１６から天井面１８側に向かって延びる円筒状に形成されていて、両端が開口した円筒形状の半透明のシートＡ１から構成されている。半透明シートＡ１の内面には、その全面に亙って凹凸状の乱反射面Ａ２が形成されている。
【００１５】
半透明のシートＡ１は、例えば、厚みが０．２ｍｍ程度のポリカーボネイト樹脂製のものであり、その一面側に梨地加工などにより凹凸状の乱反射面Ａ２を形成することにより、乳白色の半透明になっている。
【００１６】
光源Ｂは、例えば、クリプトンランプで構成されたランプＢ１と、ランプＢ１のホルダーＢ２と、リフレクターＢ３とから構成されている。ホルダーＢ２の上端には、コネクタＢ４が設けられていて、このコネクタＢ４から導出されたリード線Ｂ５が調光器１０に接続されている。
【００１７】
発光部Ａの上端には、中空円筒状の遮光筒Ｄが装着されている。遮光筒Ｄは、内面側に白色紙が貼着されるとともに、長手方向のほぼ中心内面にリング板Ｅが固着されている。
【００１８】
リング板Ｅには、複数の吊り金具Ｆが取付けられ、吊り金具Ｆには、照明器Ｌ１を吊り下げるワイヤＧの一端が係止され、ワイヤＧの他端は、天井面１８に吊り金具Ｆを介して係止されている。
【００１９】
リング板Ｅの中央に設けられた開口には、光源ＢのホルダーＢ２の外周縁が係止され、これにより光源ＢのランプＢ１が、下方の発光部Ａの中心軸方向を指向するようにして、遮光筒Ｄ内に保持されている。
【００２０】
白色反射部Ｃは、発光部Ａの半透明シートＡ１の下端側に挿入固定された円盤状の透明板Ｃ１と、この透明板Ｃ１の下端面に貼着された白色シートＣ２とから構成されている。
【００２１】
透明板Ｃ１は、例えば、透明なアクリル樹脂板やガラス板などで構成された１０ｍｍ程度の厚みの平板であって、比較的自立性のない発光部Ａの半透明シートＡ１の下部側の形状を保持する機能を有するとともに、半透明シートＡ１内を乱反射により伝播してきた光を白色シートＣ２側に導くとともに、白色シートＣ２で反射した光を再び発光部Ａ側に導く機能を有している。
【００２２】
このように構成された筒状照明器Ｌ１においては、調光器１０を介して光源ＢのランプＢ１を点灯すると、ランプＢ１から発射した光は、発光部Ａ内を以下のように伝播して光を外部に放出する。
【００２３】
すなわち、発光部Ａ内に発射された光は、ランプＢ１の近傍においては、その強度が強いので、その一部が発光部Ａの半透明のシートＡ１を透過して、外部に放出され、その部分が発光する。
【００２４】
一方、発光部Ａ内に発射された光の一部は、シートＡ１の内面に設けられている乱反射面Ａ２で乱反射を繰返すことにより、白色反射部Ｃ側に伝播していくが、この過程においては、シートＡ１が半透明になっていることもあって、これが外部に殆ど放出されず、従って、筒状発光部Ａは、その中間部分が殆ど発光しない。
【００２５】
そして、乱反射により伝播した光が、白色反射部Ｃに到達すると、透明板Ｃ１を透過した後白色シートＣ２で反射して、再びシートＡ１内に戻される。このとき、白色発光部Ｃの近傍では、乱反射により伝播してくる光と、白色シートＣ２により反射した光とが重なり合い、この部分の光の強度が増す。
【００２６】
この結果、光の一部が半透明シートＡ１を透過して、外部に放出され、この部分を発光させる。つまり、本実施例の筒状照明器Ｌ１によれば、光源Ｂと白色反射部Ｃの近傍を部分的に発光させることができる。
【００２７】
この発光状態は、調光器１０によるランプＢ１の光の発射状態を変更することで替えることができる。すなわち、ランプＢ１の供給電圧ないしは電流を上げで、ランプＢ１からの光の発射量を多くすると、光源Ｂと白色反射部Ｃの近傍に形成される発光部分が、発光部Ａの軸方向に沿って上下方向に移動して、これらを相互近接させることができ、最終的には、筒状発光部Ａの全体を発光させることが可能になる。
【００２８】
一方、音響器Ｓは、アンプなどを備えた音源部Ｓ１と、この音源部Ｓ１に並列接続された複数のスピーカ（音響発生部）Ｓ２とから構成されていて、スピーカＳ２は、一方の群の筒状照明器Ｌ１８〜Ｌ３４の背面側にあって、その円弧に沿って配置されている。
【００２９】
映写器Ｐは、プロジェクターＰ１，Ｐ２と、スクリーンＰ３，Ｐ４とから構成されていて、スクリーンＰ３，Ｐ４が展示場の入口および出口１４，１６にそれぞれ配置されている。
【００３０】
制御器１２は、調光器１０および音源部Ｓ１，プロジェクターＰ１，Ｐ２に接続された制御部１２ａと、制御手順などが格納された記憶部１２ｂとを有している。
【００３１】
制御器１２は、予め記憶部１２ｂに格納されているプログラム手順に従って、調光器１０および音源部Ｓ１，プロジェクターＰ１，Ｐ２にそれぞれ制御信号を送出し、音響器Ｓの出力状態，照明器Ｌ１〜Ｌ３４の発光状態および映写器Ｐの映写状態を同期させる。
【００３２】
図４から図７に、制御器１２による制御の数例を示しており、これらの各図には、筒状照明器Ｌ１〜Ｌ３４の発光状態が実線で示されている。まず、図４に示した制御手順は、宇宙における彗星のスターダストを連想させるものであり、制御手順がスタートすると、音響器Ｓ，照明器Ｌ１〜Ｌ３４および映写器Ｐをそれぞれ停止させた闇のシーンが十秒程度演出される。
【００３３】
次いで、同図（Ｂ）に示すように、照明器Ｌ１〜Ｌ３４の上下端側に、先端が波形になった発光部分を創出させ、この発光部分が、短時間に軸方向に沿って移動して、相互に近接して、全体が発光する状態から、発光部分が相互に離間して元の状態に戻る状態を複数回、例えば、２０秒程度繰り返すように発光させる。
【００３４】
このとき、発光部分の近接，離間移動に同期させて、音響器ＳのスピーカＳ２から、加速しながら飛び回るような音を発生させる。
【００３５】
続いて、同図（Ｃ）に示すように、照明器Ｌ１〜Ｌ３４の上下端側に、先端が鋸歯状形になった発光部分を形成し、これを短時間に点滅させるとともに、音響器ＳのスピーカＳ２から、蒸気が噴出するような音を、例えば、約１０秒程度発生させる。
【００３６】
この後に、同図（Ｄ）に示すように、照明器Ｌ１〜Ｌ３４の上下端側に、先端が波形になった発光部分を形成し、静寂な闇の状態を演出する。なお、この制御手順の場合には、映写器Ｐは、例えば、図（Ｂ），（Ｃ）の演出に同期させて、制御信号を送り、スクリーンＰ２に彗星のスターダストを写してもよい。
【００３７】
図５に示した制御手順は、深海のゆったりとした運動を連想させるものであり、制御手順がスタートすると、照明器Ｌ１〜Ｌ３４の上下端側に、先端が波形になった発光部分を形成し、発光部分をゆっくりと上下方向に移動させる。
【００３８】
次に、列状に配列された照明器Ｌ１〜Ｌ３４の一部に、上下方向に突出した発光部分を創出し、これを点滅させる（図５（Ｂ））。さらに、上下方向に突出した発光部分を左右方向にゆっくりと移動させる（図５（Ｃ））。
【００３９】
なお、発光部分を左右方向に移動させるには、照明器Ｌ１〜Ｌ３４のいずれかの１つの発光状態を順次次の照明器に移行させることにより、見かけ上発光部分が移行方向に移動したように見える。
【００４０】
このとき、音響器ＳのスピーカＳ２からガラスの粉を散らしたようなクリスタル音を放出させる。最後に、ランダムに動いていた上下方向に突出した発光部分を、二つの群の照明器Ｌ１〜Ｌ３４において、シンクロさせた状態でゆっくりと左右方向に移動させる（図５（Ｄ））。
【００４１】
図６に示した制御手順は、空気の波動，霧や風の移動などの運動を連想させるものであり、制御手順がスタートすると、照明器Ｌ１〜Ｌ３４の一部に、１山の波形になった発光部分が形成される。
【００４２】
この波形の発光部分は、各群の照明器Ｌ１〜Ｌ３４でそれぞれ同じ方向、すなわち、左から右に向かって移動させられ、この状態が連続して数十秒程度継続される。次に、図６（Ｂ）に示すように、照明器Ｌ１〜Ｌ３４の一部に上下方向に突出した部分が創出され、この突出部分が波形発光部分の移動方向と逆方向に、その移動速度よりも速い速度で移動させられる。
【００４３】
次に、各群に創出されている波形の発光部分をそれぞれ異なった方向に移動させる（図６（Ｃ））。
【００４４】
さて、以上のように構成された展示場用照明装置によれば、予めプログラムされた手順に従って、音響器Ｓの出力状態，照明器Ｌ１〜Ｌ３４の発光状態および映写器Ｐの映写状態を同期させるので、音と光および映像の一体的な融合化が図られ、空間を立体的に演出することができ、展示場における集客効果を有効に発揮するとともに、融合化のバリエーションの自由度が非常に大きくなる。
【００４５】
なお、上記実施例では、予めプムグラムした手順に基づいて、音響器Ｓの出力状態，照明器Ｌ１〜Ｌ３４の発光状態および映写器Ｐの映写状態を同期させる方法を例示したが、本発明の実施は、これに限定されることはなく、例えば、音響器Ｓの出力状態に合わせて、照明器Ｌ１〜Ｌ３４の発光状態と映写器Ｐの映写状態とを同期させても良く、このような手段によっても、音と光および映像の一体的な融合化が図れる。
【００４６】
また、上記実施例では、展示場に照明器Ｌ１〜Ｌ３４，音響器Ｓ，映写器Ｐを全て配置した場合を例示したが、本発明の実施は、これに限定されることはなく、例えば、列状に配置された照明器Ｌ１〜Ｌ３４だけの構成，照明器Ｌ１〜Ｌ３４と音響器Ｓとの組合せも可能である。
【００４７】
この場合、列状に配置された照明器Ｌ１〜Ｌ３４だけで構成した照明装置においては、例えば、制御器１２から送出する信号により、調光器１０を介して、筒状照明器Ｌ１〜Ｌ３４の発光状態を一方から他方に順次移行させるようにし、その発光状態を、例えば、展示物の側に順次移行するようにすれば、発光状態に惹かれた入場者を展示物の側に誘引することができ、集客効果の向上が期待される。
【００４８】
【発明の効果】
以上実施例で詳細に説明したように、本発明にかかる展示場用照明装置によれば、３次元空間の演出などにより集客効果の向上が図れる。
【図面の簡単な説明】
【図１】本発明にかかる展示場用照明装置の一実施例を示す平面配置図である。
【図２】図１の照明装置の制御系のブロック図である。
【図３】図１の照明装置の筒状照明器の詳細図である。
【図４】図１の照明装置の制御器で行われる制御手順の一例の説明図である。
【図５】図１の照明装置の制御器で行われる制御手順の他の例の説明図である。
【図６】図１の照明装置の制御器で行われる制御手順のさらに別の例の説明図である。
【符号の説明】
１０      調光器
１２      制御器
１２ａ    制御部
１２ｂ    記憶部
Ｌ１〜Ｌ３４      筒状照明器
Ｓ              音響器
Ｐ              映写器
【図１】
0003601249.tif 000002
【図２】
0003601249.tif 000003
【図３】
0003601249.tif 000004
【図４】
0003601249.tif 000005
【図５】
0003601249.tif 000006
【図６】
0003601249.tif 000007